(57)【要約】【課題】様々な撮影モードが搭載されても、簡単な操作で撮影モードの切替が行なえる撮影装置を提供する。【解決手段】電源が投入されたことを受けてユーザが設定操作をわざわざ行なわなくても済むようにデジタルカメラ内部のＣＰＵが液晶モニタを備えた表示部に時間帯にあわせておすすめの撮影モードを表示させる。撮影者は、撮影しようとしたときに一々撮影モードの設定操作を行なわなくても良くなり、自分の撮影したいシーンに応じたモードのいずれかを液晶モニタ１０＿３４１を見ながら十字キー１０＿３１ａ〜１０＿３１ｄおよびメニュ／ＯＫボタン１０＿３２を操作することにより簡単に選択することができるようになる。【選択図】  図５
2006238076.tif 000002
【特許請求の範囲】
【請求項１】
異なる撮影条件で撮影を行なう複数種類の撮影モードを有し、該複数種類の撮影モードの中から選択された撮影モードに応じた撮影を行なう撮影装置において、
現在時刻を計時する内蔵時計と、
表示画面を有し、該表示画面上に画像を表示する表示部と、
前記表示部に、時間帯に応じて異なる、１つ以上の推奨撮影モードを表示させる表示制御部と、
前記表示部に表示された推奨撮影モードの中の任意の撮影モードを操作に応じて選択するモード選択部とを備えたことを特徴とする撮影装置。
【請求項２】
前記表示制御部は、この撮影装置の電源オンを受けて、前記表示部に、時間帯に応じて異なる、１つ以上の推奨撮影モードを表示させるものであることを特徴とする請求項１記載の撮影装置。
【請求項３】
前記表示制御部は、推奨撮影モード表示を指示するユーザ操作を受けて、前記表示部に、時間帯に応じて異なる、１つ以上の推奨撮影モードを表示させるものであることを特徴とする請求項１記載の撮影装置。
【請求項４】
前記表示制御部は、前記表示部に、時間帯に応じて異なる、１つ以上の推奨撮影モードを表示させるとともに、時間帯に因らずに常に標準の撮影モードを合わせて表示させるものであることを特徴とする請求項１記載の撮影装置。
【発明の詳細な説明】
【技術分野】
【０００１】
本発明は、異なる撮影条件で撮影を行なう複数種類の撮影モードを有し、その複数種類の撮影モードの中から選択された撮影モードに応じた撮影を行なう撮影装置に関する。
【背景技術】
【０００２】
最近のデジタルカメラにはユーザが使いやすいようにと考えて撮影モードを多数配備しておいて、それらの撮影モードのうちの一つを選択することでユーザが特に撮影に必要な撮影条件の設定操作を行なわなくても、選択した撮影モードに応じた撮影条件が装置内部に自動的に設定されるものが多い。
【０００３】
しかしながら、最近のデジタルカメラにおいては撮影モードが多くなったため、設定操作が煩雑になり過ぎて、ユーザの中には撮影モードを一旦設定した後、その撮影モードから抜けて標準の撮影モードに戻そうとする操作に手間取る人もいる。
【０００４】
そこでこのような事態に対応するため、２つの操作子を同時に、かつ継続して操作し続けることで、簡単に初期設定モードに戻ることができるようにしているデジタルカメラもある（例えば特許文献１参照）。
【０００５】
また、ユーザに煩雑な操作を行なわせることがないようにデジタルカメラ内部の制御部が、撮影光学系が捉えようとしている被写体の被写体距離等に応じてデジタルカメラ内部の各部にその被写体距離等に応じた撮影条件を自動的に設定することができるようにしたものもある（例えば特許文献２参照）。
【０００６】
しかしながら、最近のデジタルカメラに配備されている撮影モードの中にはフラッシュを要する撮影モードや被写界深度を変更する必要のある撮影モードや被写界の輝度の調節等を行なう必要のある撮影モード等もあるため、特許文献２の技術を用いたとしても、これらのモードに応じた撮影条件をデジタルカメラ内部に自動的に設定することができず、ユーザによるマニュアル操作が必要になってユーザ操作が煩雑になってしまうという問題が生じる。
【特許文献１】実開平６−５９８２９号公報
【特許文献２】特開平９−２８１５４１号公報
【発明の開示】
【発明が解決しようとする課題】
【０００７】
本発明は上記問題点を解決し、様々な撮影モードが搭載されても、簡単な操作で撮影モードの切替が行なえる撮影装置を提供することを目的とするものである。
【課題を解決するための手段】
【０００８】
上記課題を達成する本発明の撮影装置は、異なる撮影条件で撮影を行なう複数種類の撮影モードを有し、その複数種類の撮影モードの中から選択された撮影モードに応じた撮影を行なう撮影装置において、
現在時刻を計時する内蔵時計と、
表示画面を有し、その表示画面上に画像を表示する表示部と、
上記表示部に、時間帯に応じて異なる、１つ以上の推奨撮影モードを表示させる表示制御部と、
上記表示部に表示された推奨撮影モードの中の任意の撮影モードを操作に応じて選択するモード選択部とを備えたことを特徴とする。
【０００９】
上記本発明の撮影装置によれば、上記表示制御部の制御の基、上記内蔵時計が示す時刻の時間帯にあった推奨撮影モードが上記表示部の上記表示画面上に少なくとも一つ表示される。さらにその表示部の表示画面上の表示を見ながら、上記モード選択部の操作により推奨撮影モードの中から任意の撮影モードが自在に選択される。
【００１０】
そうすると、上記表示制御部の制御により、夜の時間帯においては例えばフラッシュを必要とする撮影モードを推奨撮影モードとして上記表示部の上記表示画面上に複数表示することも、昼の時間帯においては例えばホワイトバランスや被写界輝度を変更する必要のある撮影モードを推奨撮影モードとして上記表示部の表示画面上に複数表示することも、朝の時間帯においては、例えば、比較的近距離にいる被写体の撮影に適した撮影モードを推奨撮影モードとして上記表示部の表示画面上に複数表示することもでき、さらにはこれらの推奨撮影モードの表示を見て、時間帯に応じた、少なくとも１つの推奨撮影モードの中の任意の撮影モードを上記モード選択部により簡単に選択することができる。
【００１１】
すなわち、様々な撮影モードが搭載されても、簡単な操作で撮影モードの切替が行なえる撮影装置が実現される。
【００１２】
ここで、上記表示制御部は、この撮影装置の電源オンを受けて、上記表示部に、時間帯に応じて異なる、１つ以上の推奨撮影モードを表示させるものであることが好ましい。
【００１３】
そうすると、撮影者がこの撮影装置を使おうとして電源の投入操作をしたときに、この撮影装置を使おうとしている時間帯に応じて異なる、１つ以上の推奨撮影モードが上記表示部の表示画面上に表示され、その表示を基に上記モード選択部の操作により１以上の推奨撮影モードのうちのいずれかが選択される。
【００１４】
その結果、電源投入後、直ちに撮影に適した撮影モードを選択して、すぐに被写体の撮影が行なえる。
【００１５】
また、上記表示制御部は、推奨撮影モード表示を指示するユーザ操作を受けて、上記表示部に、時間帯に応じて異なる、１つ以上の推奨撮影モードを表示させるものであることが好ましい。
【００１６】
そうすると、他の撮影モードが設定されている状態にあるときに他の撮影モードで撮影したいなと思った場合にはわざわざ煩雑な操作をしなくても、簡単な操作を行なうだけでその時間帯に応じた、異なる、１つ以上の推奨撮影モードの中の任意の撮影モードを選択することができる。
【００１７】
さらに、上記表示制御部は、上記表示部に、時間帯に応じて異なる、１つ以上の推奨撮影モードを表示させるとともに、時間帯に因らずに常に標準の撮影モードを合わせて表示させるものであることが好ましい。
【００１８】
このように上記表示部に、時間帯に応じた異なる、１つ以上の推奨撮影モードが表示されているときに上記標準の撮影モードも合わせて表示されていると、標準の撮影モードに戻したいと思ったときにはすぐに標準の撮影モードに戻すことができる。
【発明の効果】
【００１９】
本発明によれば、簡単な操作で撮影モードの切替が行なえる撮影装置が実現される。
【発明を実施するための最良の形態】
【００２０】
以下図面を参照して本発明の実施の形態を説明する。
【００２１】
以下、本発明の実施の形態について説明する。
【００２２】
図１は、本発明の撮影装置の実施形態であるデジタルカメラ１０を前面斜め上から見た外観斜視図である。図１に示すデジタルカメラは、異なる撮影条件で撮影を行なう複数種類の撮影モードを有し、その複数種類の撮影モードの中から選択された撮影モードに応じた撮影を行なうものである。
【００２３】
図１に示すデジタルカメラ１０の前面中央部には、光学ズームレンズである撮影レンズ１０＿１ａを内部に備えたズーム鏡胴１０＿１が備えられている。また、このデジタルカメラ１０の前面上部には、撮影に同期してフラッシュ光を発するフラッシュ発光装置１０＿２と、フラッシュ発光装置１０＿２からのフラッシュ光の光量を制御するためにそのフラッシュ光の光量を検出するフラッシュ調光センサ１０＿３と、光学式ファインダ対物窓１０＿４とが備えられている。
【００２４】
また、このデジタルカメラ１０の前面左側には、このデジタルカメラ１０を確実に握ることができる形状を有するグリップ１０＿５と、セルフタイマ作動時等に点滅するセルフタイマランプ１０＿６と、音声をピックアップするマイクロホン１０＿７とが備えられている。
【００２５】
さらに、このデジタルカメラ１０の上面には、シャッタボタン１０＿８と、各種の設定を行なうためのモードダイヤル１０＿９と、電源ボタン１０＿１０とが備えられている。
【００２６】
また、このデジタルカメラ１０の図１に示す右側面には、スピーカ１０＿１１が備えられている。
【００２７】
図２は、図１に示すデジタルカメラ１０を上から見た外観図である。
【００２８】
このデジタルカメラ１０には、前述したフラッシュ発光装置１０＿２，シャッタボタン１０＿８，モードダイヤル１０＿９，電源ボタン１０＿１０に加えて、このデジタルカメラ１０の上方から下方に向けて設けられた斜面部に、フラッシュ発光装置１０＿２をポップアップするためのポップアップボタン１０＿１２が備えられている。また、モードダイヤル１０＿９には、オートモードを示す文字ＡＵＴＯ、プログラムオートモードを示すＰ、シャッタスピード優先オートモードを示すＳ、絞り優先オートモードを示すＡ、マニュアルモードを示すＭ、動画モードを示す絵柄、および４つのシーンポジション（夜景、スポーツ、風景、人物のシーンポジション）を示す４つの絵柄が印刷されている。このモードダイヤル１０＿９を回転操作することにより、所望のモードに設定することができる。ここで、各モードについて説明する。
【００２９】
オートモード（ＡＵＴＯ）は、カメラ側で露出やホワイトバランス等全てを制御するためのモードである。このオートモードが本発明にいう標準モードに相当する。そのほか、プログラムオートモード（Ｐ）は、シャッタスピードと絞りを自動的に設定するためのモードであり、シャッタスピード優先オートモード（Ｓ）は、シャッタスピードを優先的に設定するためのモードであり、絞り優先オートモード（Ａ）は、絞りを優先的に設定するためのモードであり、マニュアルモード（Ｍ）は、シャッタスピードと絞りを自由に設定するためのモードである。さらに本実施形態のデジタルカメラには、マニュアルモード（Ｍ）の隣りの絵柄で示される動画撮影モードが配備されている。また、その動画モードから見て時計回りに４つの撮影シーン（夜景、スポーツ、風景、人物）を選択するための４つのシーンポジションモードがある。
【００３０】
以降の説明においては、夜景、スポーツ、風景、人物という風に記載してそれらのシーンポジションに応じた撮影モードを示すこととする。
【００３１】
この４つのシーンポジションの中の一つである夜景は、夕景や夜景などの雰囲気を活かした撮影に好適な撮影モードであり、以下スポーツは、スポーツシーンをはじめ、動体撮影に好適な撮影モードであり、風景は、建物や山等、風景撮影に好適なモードであり、人物は、肌色をより美しく写し出すことができるポートレート撮影に好適なモードである。
【００３２】
このデジタルカメラでは、上記のように様々なシーンポジションに応じた撮影モードを多数有しており、このほかに同じ風景であっても近距離の景色の撮影に適した近景モード、遠距離の景色の撮影に適した遠景モード、被写界深度を浅くして背景をぼかした撮影を行なうのに適したクローズアップモードであるとかといった撮影モードも、さらには撮影時の光量や色情報をカメラ側にすべて自動的に判断させる自動認識ＡＥ／ＡＷＢモードなども有している。
【００３３】
図３は、図１に示すデジタルカメラを背面から見た外観図である。
【００３４】
図３に示すデジタルカメラ１０の背面上部には、光学式ファインダ接眼窓１０＿２２と、撮影準備完了等に点灯したり撮影中に点滅したりするファインダランプ１０＿２３と、露出補正ボタン１０＿２４と、押下することにより広角側（ワイド側）にズームアップする広角ズームボタン１０＿２５と、押下することにより望遠側（テレ側）にズームアップする望遠ズームボタン１０＿２６と、撮影モードと再生モードを切り換えるモードスイッチ１０＿２７とが備えられている。
【００３５】
また、モードスイッチ１０＿２７の下側には、フォトモードボタン１０＿３０と、十字ボタン１０＿３１と、メニュー／ＯＫボタン１０＿３２と、ＤＩＳＰ／ＢＡＣＫボタン１０＿３３とが備えられている。さらに、デジタルカメラ１０の背面中央部には、液晶モニタ１０＿３４が備えられている。
【００３６】
フォトモードボタン１０＿３０は、ピクセル数，感度，色味，プリント枚数等を設定するためのボタンである。
【００３７】
十字ボタン１０＿３１は、液晶モニタ１０＿３４上にメニュー画面などが表示された場合には、その十字キー１０＿３１の上ボタン１０＿３１ａ、下ボタン１０＿３１ｂ、左ボタン１０＿３１ｃ、右ボタン１０＿３１ｄの４つのボタンを操作することによってメニューの選択を行なうことができる。また、左ボタン１０＿３１ｃは、マクロ撮影を行なうか否かを切り換えるためのボタンでもあり、一度押下するとマクロ撮影モードとなり、再度押下するとマクロ撮影モードが解除される。さらに、右ボタン１０＿３１ｄは、フラッシュボタンの役割を担うボタンでもあり、押下する毎に、オートフラッシュ→赤目低減フラッシュ→強制フラッシュ→フラッシュ禁止→スローシンクロ→オートフラッシュというようにフラッシュの状態を繰り返し切り換えるためのボタンでもある。メニュー／ＯＫボタン１０＿３２は、撮影時や再生時における各種のメニューを表示したり、選択されたメニューを決定するためのボタンである。ＤＩＳＰ／ＢＡＣＫボタン１０＿３３は、ＤＩＳＰボタンおよびＢＡＣＫボタン双方の役割を担うボタンである。ＤＩＳＰボタンの役割の場合は、液晶モニタ１０＿３４１に表示された画面の状態を切り換えるためのボタンとなり、例えば撮影時に液晶モニタ１０＿３４１の表示をオン，オフしたり、再生時に文字表示をオン，オフしたりする。一方、ＢＡＣＫボタンの役割の場合は、ＭＥＮＵ／ＯＫボタン１０＿３２等による操作状態を１つ前に戻したり取り消したりするためのボタンとなる。
【００３８】
このようにこのデジタルカメラ１０では、このデジタルカメラに搭載されている多数の撮影モードの選択操作をできるだけ簡単に行なうことができるようにして、ユーザに対し使い易いデジタルカメラを提供しようとしている。
【００３９】
また、本実施形態のデジタルカメラ１０においては、さらなる使い易さをユーザに提供するために、ボタン操作などに弱い人であっても、このデジタルカメラ１０が簡単に使えるようにと電源ボタン１０＿１０の投入により電源からこのデジタルカメラ１０に電力が供給されたときにモードスイッチ１０＿２７が撮影モード側に切り替えられていた場合には、時間帯に応じて、少なくとも一つの推奨撮影モードを液晶モニタ１０＿３４１上に表示するようにもしている。詳細は後述するが、少なくとも一つの推奨撮影モードの中からいずれかの撮影モードを十字キーおよびメニュー／ＯＫボタン１０＿３２の操作により簡単に選択することができるようにもなっている。
【００４０】
図４は、図１〜図３に示すデジタルカメラ１０の回路構成を示すブロック図である。
【００４１】
画像信号の流れに沿って回路構成を説明する。本実施形態のデジタルカメラ１０では、図３に示すモードスイッチ１０＿２７が撮影モード側に切り替えられている状態にあるときに電源が投入される（もしくは電源が投入された後、再生モードから撮影モードに切り替えられる）と、ＣＰＵ１０＿４７はそれらの操作を受けて液晶モニタ１０＿３４１を備える表示部１０＿３４に複数の推奨撮影モードを表示させている。それらの推奨撮影モードを液晶モニタ１０＿３４１上に表示させたら、本発明にいうモード選択部にあたる十字キー１０＿３１ａ，１０＿３１ｂ，１０＿３１ｃ，１０＿３１ｄおよびメニュー／ＯＫボタン１０＿３２の操作を受けてＣＰＵ１０＿４７は、撮影に備えて選択された撮影モードのモードの処理手順が記述されているプログラムを起動して、その起動したプログラムの手順にしたがって表示部１０＿３４に液晶モニタ１０＿３４１上の画面を切り替えさせてスルー画の表示を行なわせるようにしている。このＣＰＵ１０＿４７が行なう表示処理についての詳細は後述する。
【００４２】
まず、本発明にいうモード選択部である十字キー１０＿３１ａ〜１０＿３１ｄおよびメニュー／決定ボタン１０＿３２の操作により推奨撮影モードの中の任意の撮影モードの選択が行なわれた後、液晶モニタを備える表示部１０＿３４に表示させるスルー画を表わす画像信号の流れを簡単に説明しておく。
【００４３】
図４には撮像素子以降の回路を働かせるために必要な撮影レンズも図示されており、図４中にはその撮影レンズがどのようなものであるかを示すため、その撮影レンズの主要な構成要素であるズームレンズ１０＿１ａ１とフォーカスレンズ１０＿１ａ２とが図示されている。また、モードダイヤル１０＿９により絞り優先モード等に指定されたときにその開口が調節される、撮影光量を制限するための絞り１０＿１ａ３も図示されている。
【００４４】
これらのレンズを含む撮影レンズ１０＿１ａにより後段の撮像素子（ここではＣＣＤ固体撮像素子が用いられているので以降ＣＣＤという）に被写体光を結像させてそのＣＣＤ１０＿４１に被写体光を表わす画像信号の生成を行なわせている。
【００４５】
以降、ＣＣＤ１０＿４１にどのように画像信号を生成させ、またどのように生成した画像信号を後段の回路へと伝達していくかを説明していく。
【００４６】
ＣＣＤ１０＿４１にスルー画用の画像信号の生成を行なわせるにあたっては、ＣＰＵ１０＿４７の制御の基、タイミングジェネレータ（以降ＴＧという）１０＿４０に露光開始信号および露光終了信号を所定の周期で繰り返しＣＣＤ１０＿４１に供給させることによりＣＣＤ１０＿４１にスルー画を表わす画像信号の生成を所定の周期ごとに行なわせている。このＴＧ１０＿４０からの露光終了信号に応じてＣＣＤ１０＿４１での露光を終了させた後、ほぼ同時に露光を終了させた、スルー画を表わす画像信号（以降ＲＧＢ信号）をＣＣＤ１０＿４１から出力させている。
【００４７】
このようにしてＡ／Ｄ変換回路１０＿４２にスルー画用のＲＧＢ信号が出力されてきたら、Ａ／Ｄ変換回路１０＿４２によりアナログのＲＧＢ信号がデジタルのＲＧＢ信号に変換されて、後段の画像入力コントローラ１０＿４３によりバスライン１０＿１００に導かれる。
【００４８】
この画像入力コントローラ１０＿４３によりバスライン１０＿１００に導かれた、スルー画用のデジタルのＲＧＢ信号は画像信号処理回路１０＿４４に供給され、この画像信号処理回路１０＿４４でデジタルのＲＧＢ信号からデジタルのＹＣ信号に変換される。その画像信号処理回路１０＿４４で変換されたＹＣ信号がビデオエンコーダ１０＿４６に供給され、表示部１０＿３４の液晶モニタ１０＿３４１上にＹＣ信号に基づく画像が表示される。このＹＣ信号は、所定の周期ごとにＣＣＤ１０＿４１で生成されるものであるから、液晶モニター１０＿３４１上には所定の周期ごとにＹＣ信号に基づく画像が切り替えられて表示されるようになる。このようにしておくと液晶モニタ１０＿３４１上に撮影レンズ１０＿１ａが向けられた方向の被写体がそのままスルー画として表示される。
【００４９】
つまり、光学ファインダを覗かずに液晶モニタ１０＿３４１をファインダ代わりに視認する様にしてもシャッタチャンスにシャッタボタン１０＿８を押下することにより撮影が行なえるようになる。
【００５０】
次にシャッタボタン１０＿８の押操作に応じた撮影処理に係る画像信号の流れを説明する。
【００５１】
この実施形態のデジタルカメラ１０では、シャッタボタン１０＿８の押下操作が開始されたときに半押し状態になって第１の接点１０＿８Ａが接続状態になったことを受けてＣＰＵ１０＿４７がＡＥ検出回路１０＿５０に指示して露出調節を行なわせるとともにＡＦ検出回路１０＿５１に指示してピント調節を行なわせて露出設定およびピント設定を全押しに備えていち早く行わせるようにしている。
【００５２】
ＡＥ検出回路１０＿５０には露出設定に必要な輝度の検出を行なわせていて、このＡＥ検出回路１０＿５０での検出結果に応じてＣＰＵ１０＿４７はモータドライバ１０＿５６を制御して絞り１０＿１ａ３の開口径を調節したり、撮影時にフラッシュ発光装置１０＿２にフラッシュ光の発光を行なわせたりしている。なお、このＡＥ検出回路１０＿５０の中にはＡＷＢ（Ａｕｔｏ  Ｗｈｉｔｅ  Ｂａｌａｎｃｅ）回路も配備されており、このＡＷＢ回路でホワイトバランスの調整が行なわれ、そのホワイトバランスの調整結果に応じた色調整用のパラメータが画像信号処理回路１０＿４４に設定されて色味の補正が行なわれている。
【００５３】
またＡＦ検出回路１０＿５１には、ＣＰＵ１０＿４７の制御の基、モータドライバ１０＿４９に指示してフォーカスレンズ１０＿１ａ２を最至近点から最遠点まで移動させているときの、途中の複数の位置それぞれで被写体コントラストの検出を行なわせて各位置で検出された被写体コントラストのピークを合焦点とするような処理を行なわせている。
【００５４】
このようにしてシャッタボタン１０＿８の半押し時に露出設定とピント調節が終了した後、シャッタボタン１０＿８が全押しされ第１の接点１０＿８Ａおよび第２の接点１０＿８Ｂが双方とも接続されたらＴＧ１０＿４０からシャッタスピードに応じた露光開始信号、露光終了信号を順次ＣＣＤ１０＿４１に供給させる。その露光終了信号に応じてＣＣＤ１０＿４１にＲＧＢ信号を出力させＡ／Ｄ変換回路１０＿４２へ供給させる。そうしたらそのＡ／Ｄ変換回路１０＿４２でデジタル信号に変換されたＲＧＢ信号が後段の画像入力コントローラ１０＿４３によりバスライン１０＿１００に導かれる。
【００５５】
このバスライン１０＿１００に導かれたＲＧＢ信号は一旦メモリ（ＳＤＲＡＭ）１０＿５２にすべて記憶され、その後、メモリ１０＿５２から読み出されて画像信号処理回路１０＿４４に供給される。この画像信号処理回路１０＿４４によってＲＧＢ信号がＹＣ信号に変換され、変換されたＹＣ信号が今度は圧縮処理回路１０＿４４に供給され、圧縮処理回路１＿４４でＪＰＥＧ圧縮される。そのＪＰＥＧ圧縮されたＹＣ信号がメディアコントローラ１０＿５３を介して記録メディア１０＿５４に記録される。
【００５６】
本実施形態では、以上説明したような構成を持つデジタルカメラ１０内部に、さらに内蔵の時計１０＿５５を追加して電源投入時にＣＰＵ１０＿４７がその時計１０＿５５から時刻データを取得して時間帯にあわせた、少なくとも一つの推奨撮影モードを、液晶モニタを備えた表示部１０＿３４に表示させるようにしている。ここではＣＰＵ１０＿４７が、電源スイッチ１０＿１０の操作を受けて、時計１０＿５５からのデータをバス１０＿１００を使って取得して、その時間帯で最も多く使用される撮影モードを推奨撮影モードとして液晶モニタ１０＿３４１を備える表示部１０＿３４に表示させている。なお、オートモード（Ａｕｔｏ）が操作により選択されたときには、モードダイヤルがＡｕｔｏに設定されているのと同じ処理がデジタルカメラ内部で行なわれる。このオートモードは、前述したように時間に関係のない、カメラ側で露出やホワイトバランス等全てを制御するためのモードであって、このデジタルカメラの標準の撮影モードに相当する。
【００５７】
ここで、電源ボタン１０＿１０が投入された（もしくは再生モードから撮影モードに切り替えられた）ときに、ＣＰＵ１０＿４７が液晶モニタ１０＿３４１を備える表示部１０＿３４に行なわせる表示処理を説明する。
【００５８】
図５〜図７は、ＣＰＵ１０＿４７が液晶モニタ１０＿３４１を備える表示部１０＿３４に推奨撮影モードを表示させるときの処理を説明するための図である。なお、図５〜図７には推奨撮影モードをおすすめモードと記載してある。
【００５９】
本実施形態のデジタルカメラ１０においては、使い易さを考えて、まずＣＰＵ１０＿４７が表示部１０＿３４に選択項目としてオートモード（Ａｕｔｏ）と３つの撮影シーン（屋外風景、室外人物、室内人物）を表示させるようにして、それらの撮影シーンの中からいずれかが十字キー１０＿３１ａ〜１０＿３１ｄおよびメニュ／ＯＫボタン１０＿３２の操作により選択されたら、時刻にあわせてその時刻を含む時間帯の撮影シーンに適した撮影モードをおすすめモードとして表示するようにしている。
【００６０】
具体的には、ＣＰＵ１０＿４７が、液晶モニタ１０＿３４１を備える表示部１０＿３４に、推奨撮影モードを表示させるにあたって、図５（ａ）、図６（ａ）、図７（ａ）に示すようにまず‘どのような撮影シーンでの撮影を行ないますか？’の問い合わせの意味を含めて３つの撮影シーンとオートモード（Ａｕｔｏ）とを選択項目として液晶モニタ上に表示させる様にして、その表示画面を見ながら、モード選択部である十字キーの４つのうちのいずれかのキーにより選択操作が行なわれたら、図５（ｂ）、図６（ｂ）、図７（ｂ）に示すおすすめモードの表示画面の表示を表示部１０＿３４に行なわせるようにしている。なお、ここでオートモード（Ａｕｔｏ）が指定されたら、図４（ｂ）の表示処理は行なわずに、直ちにカメラ側で露出やホワイトバランス等全てを制御する、本発明にいうところの標準の撮影モードに移行する。
【００６１】
図５〜図７に示す表示画面を表示する処理はすべて本発明にいう表示制御部にあたるＣＰＵ１０＿４７が表示部１０＿４６に行なわせていて、ＣＰＵ１０＿４７は、電源ボタン１０＿１０の電源投入操作（あるいはモードスイッチ１０＿２７の再生モードから撮影モードへの切替操作）を受けて、まず図５（ａ）、図６（ａ），図７（ａ）に示す表示画面の表示処理を表示部１０＿４６に行なわせて、その後、図５（ａ）、図６（ａ），図７（ａ）に示す画面を見ながらユーザにより十字キー１０＿３１ａ〜１０＿３１ｄの４つのうちのいずれかのキーが操作されたら、その操作を受けて図５（ｂ）、図６（ｂ）、図７（ｂ）に示す表示画面の表示を行なわせるようにしている。
【００６２】
さらに、図５（ｂ）、図６（ｂ）、図７（ｂ）に示す表示画面に液晶モニタ１０＿３４１上に表示させた後、本発明にいうモード選択部にあたる十字キーの操作によりいずれかの撮影モードが選択されたときには、その操作を受けたＣＰＵ１０＿４７は、十字キーにより選択された撮影モードの処理手順が記述されているプログラムを起動する。
【００６３】
前述したようにＣＰＵ１０＿４７内にはプログラムメモリ１０＿４７１が内蔵されており、そのプログラムメモリ１０＿４７１内に格納されているプログラムの処理手順にしたがってＣＰＵ１０＿４７は、液晶モニタ１０＿３４１を備えた表示部１０＿３４に複数の撮影シーンを表示させる処理をまず行なわせ、その表示処理中に十字キー１０＿３１ａ〜１０＿３１ｄおよびメニュ／ＯＫボタン１０＿３２による選択操作を受けて次に複数の推奨撮影モードを表示させる処理を行なわせ、さらに十字キーおよびメニュ／ＯＫボタンの選択操作を受けて選択された撮影モードに応じた処理プログラムを起動する処理を順序良く行なっている。
【００６４】
なお、熟練者がこのデジタルカメラ１０を使用するときには、推奨撮影モードよりも、モードダイヤル１０＿９を切り替えてすべてを自分で設定したい人もいるということを考えて、電源投入後にわざわざモードスイッチ１０＿２７がマニュアル操作されて所定の位置に切り替えられたままになっているときには、表示部１０＿３４に‘モードダイヤルの切替位置の撮影モードの処理を行ないますか？’の文字を表示させて、その表示に応じてＯＫボタンが操作されたらモードダイヤル１０＿９の切替位置にある撮影モードに応じた処理を実行することができるようにもしている。
【００６５】
図５〜図７を参照して、ＣＰＵ１０＿４７が表示部１０＿３４に指示して表示部１０＿３４の液晶モニタ１０＿３４１上に推奨撮影モードを表示させるにあたって、朝、昼、夜それぞれの時間帯にあわせて表示される推奨撮影モードがどのようなモードであるかを説明する。
【００６６】
まず、朝モード（図５（ａ）参照）と記載されている朝の時間帯に合わせて推奨撮影モードを液晶モニタ上に表示する場合の例を図５（ｂ）を参照して説明する。
【００６７】
例えば朝の時間帯において屋外風景が指定されたときには、旅先でまだ見学を予定しているところまでいっておらず、ホテル近くにある風景を撮影する場合が多いと考えて推奨モードとして近景モード、遠景モード、さらに付随的にマクロモード、クローズアップモードなどを推奨撮影モードとして表示するようにしている。
【００６８】
例えば、その推奨撮影モードのうちのいずれかが選択された後、このデジタルカメラで撮影を行なおうとしたときに、近景モードが指定されていたら、撮影時にＣＰＵ１０＿４７はフォーカスレンズ１０＿１ａ２のピント位置を比較的近距離にするようにモータドライバ１０＿４９に指示するとともに近景にあう絞り値を算出してモータドライバ１０＿５６やＴＧ１０＿４０に指示してホテル近くにある例えば銅像などを比較的近距離の背景をバックにして鮮明に撮影することができるようにしたり、マクロモードが指定されたら、マクロ撮影にあうような絞り値になるようにモータドライバ１０＿５６とＴＧ１０＿４０に指示するとともにズームレンズ１０＿１ａ１のモータドライバ１０＿４８にマクロ撮影に応じたズームレンズ１０＿１ａ１の位置（通常のズーム位置よりもさらにズーム鏡胴１０＿１を前方に繰り出した位置）を指示するようにして、その地方特有の花をマクロ撮影することができるようにしたりしている。
【００６９】
また、例えば昼の時間帯において室外・人物（図６（ａ）参照）が指定されたときには、旅先で名所見物中に景色をバックに人を撮影しようとする場合が多いと考えて図６（ｂ）に示すように推奨撮影モードとして逆光人物モード、人物＋景色モードに加え、付随的にクローズアップモードやスポーツモードを表示するようにしている。
【００７０】
例えば撮影時に逆光人物モードが指定されていたら、ＡＥ検出回路からのホワイトバランス調整結果を基にＣＰＵ１０＿４７は、画像信号処理回路１０＿４４に色味補正用の処理パラメータを設定したり、クローズアップモードが設定されていたら、モータドライバ１０＿５６に指示して絞り１０＿１ａ３を開き気味にするとともにモータドライバ１０＿４９に指示してフォーカスレンズ１０＿１ａ２を前ピン位置に配置するようにしたりする。
【００７１】
さらに、夜の時間帯において屋外・風景（図７（ａ）参照）が指定されていたときには、夜景を撮影しようとしたり、夜景とともに人物を撮影することもあると考えて図７（ｂ）に示すように推奨撮影モードとして夜景モード、スローシンクロモード、さらに付随的にシーン自動認識ＡＷＢ／ＡＥモードを表示するようにしている。
【００７２】
例えば撮影時にスローシンクロが指定されていて人物と夜景とを一緒に撮影しようというときには、ＣＰＵ１０＿４７はフラッシュ発光装置１０＿２に発光指示を与えるとともにＴＧ１０＿４０にスローシャッタになるようなシャッタスピードを設定したり、シーン自動認識ＡＷＢ／ＡＥモードが指定されたときには半押し時の測光結果に応じてＡＥ検出回路１０＿５０内の測光値およびホワイトバランスの調整結果に応じたパラメータを画像処理回路１０＿４４に設定したりする。
【００７３】
このようにしておくと、煩雑な操作をしなくても、簡単な操作で撮影モードの選択操作を行なうことができ、さらに撮影モードに応じたパラメータが撮影装置内部の各部にＣＰＵ１０＿４７により自動的に設定されて素人に近いような人であっても所望の撮影モードでの撮影が簡単に行なえるようになる。
【００７４】
なお、この例では推奨撮影モードを予めＣＰＵ１０＿４７内に準備しておいた場合の例を説明したが、推奨撮影モードの項目を撮影者が設定するような構成にしても良い。そのような構成のときには、選択／メニューボタン１０＿３２の操作を受けてＣＰＵ１０＿４７が表示部１０＿３４に設定変更画面を表示させるようにしておいて、撮影者がその設定変更画面を見ながらを十字キーの操作により推奨撮影モードの項目の変更を行なうことができるようにするような構成になる。
【００７５】
図８は、上記おすすめモードを表示した後、スルー画の表示を行なっている最中に操作ここでは十字キーの左キー１０＿３１ｃとＯＫボタン１０＿３２とが同時に操作されたときに図５〜図７に示す表示画面を表示するようにした場合を説明する図である。
【００７６】
電源スイッチ１０＿１０の操作により電源が投入されたときや再生モードにあったモードスイッチ１０＿２７が撮影モードに切り替えられたときに図５〜図７に示す表示画面を表示するようにしておくほか、図８に示す操作（ここでは左キーとメニュー／ＯＫボタンを同時に操作する操作）に応じても図５〜図７の表示画面を表示するようにしておくと、撮影中に他の撮影モードに切り替えたいときなどに便利である。
【００７７】
以上説明したように、様々な撮影モードが搭載されても、簡単な操作で撮影モードの切替が行なえる撮影装置が実現される。
【図面の簡単な説明】
【００７８】
【図１】本発明の撮影装置の一実施形態であるデジタルカメラ１０を前面斜め上から見た外観斜視図である。
【図２】図１に示すデジタルカメラ１０を上から見た外観図である。
【図３】図１に示すデジタルカメラ１０を背面から見た外観図である。
【図４】図１〜図３に示すデジタルカメラ１０内部の回路構成を示すブロック図である。
【図５】ＣＰＵ１０＿４７が表示部１０＿３４に推奨撮影モードを表示させる処理を説明する図であって、朝の時間帯に合わせた推奨撮影モードを表示させたときの表示例を示す図である。
【図６】ＣＰＵ１０＿４７が表示部１０＿３４に推奨撮影モードを表示させる処理を説明する図であって、昼の時間帯に合わせた推奨撮影モードを表示させたときの表示例を示す図である。
【図７】ＣＰＵ１０＿４７が表示部１０＿３４に推奨撮影モードを表示させる処理を説明する図であって、夜の時間帯に合わせた推奨撮影モードを表示させたときの表示例を示す図である。
【図８】電源が投入された後、十字キーの左キーとＯＫボタンとが同時に操作されたときに図５〜図７に示す表示画面を表示するようにした例を説明する図である。
【符号の説明】
【００７９】
１０，２０，３０  デジタルカメラ
１０＿１  ズーム鏡胴
１０＿１ａ  撮影レンズ
１０＿１ａ1  ズームレンズ
１０＿１ａ2  フォーカスレンズ
１０＿１ａ3  絞り
１０＿２  フラッシュ発光装置
１０＿３  フラッシュ調光センサ
１０＿４  光学式ファインダ対物窓
１０＿５  グリップ
１０＿６  セルフタイマランプ
１０＿７  マクロボタン
１０＿８  シャッタボタン
１０＿８Ａ    第１の接点
１０＿８Ｂ    第２の接点
１０＿９  モードダイヤル
１０＿１０  電源ボタン
１０＿１１  スピーカ
１０＿１２  ポップアップボタン
１０＿２２  光学式ファインダ接眼窓
１０＿２３  ファインダランプ
１０＿２４  露出補正ボタン
１０＿２５  広角ズームボタン
１０＿２６  望遠ズームボタン
１０＿２７  モードスイッチ
１０＿３０  フォトモードボタン
１０＿３１  十字ボタン
１０＿３１ａ  上ボタン
１０＿３１ｂ  下ボタン
１０＿３１ｃ  左ボタン
１０＿３１ｄ  右ボタン
１０＿３２  メニュー／ＯＫボタン
１０＿３３  ＤＩＳＰ／ＢＡＣＫボタン
１０＿３４  表示部
１０＿３４１    液晶モニタ
１０＿４１  撮像素子（ＣＣＤ）
１０＿４２  Ａ／Ｄ変換回路
１０＿４３  画像入力コントローラ
１０＿４４  画像信号処理回路
１０＿４５  圧縮処理回路
１０＿４７  ＣＰＵ
１０＿４８  １０＿４９  モータドライバ
１０＿５０  ＡＥ検出回路
１０＿５１  ＡＦ検出回路
１０＿５２  メモリ（ＳＤＲＡＭ）
１０＿５３  メディアコントローラ
１０＿５４  記録メディア
１０＿５６  モータドライバ
１０＿１００  バスライン
【図１】
2006238076.tif 000003
【図２】
2006238076.tif 000004
【図３】
2006238076.tif 000005
【図４】
2006238076.tif 000006
【図５】
2006238076.tif 000007
【図６】
2006238076.tif 000008
【図７】
2006238076.tif 000009
【図８】
2006238076.tif 000010